(57)【要約】  本発明は、引出し（１、２）と、引出し（１、２）用の延出ガイド（３、４（とを含んだ構造体に関し、引出し（１、２）は、引出し箱と、引出し箱に接続可能な前方パネルとを有しており、引出し（１、２）は、固定装置（５、６）によって延出ガイド（３、４）に解放可能に固定でき、延出ガイド（３、４）は、引出し（１、２）を固定するための少なくとも第１の掛留位置と第２の掛留位置（Ｅ１、Ｅ２）を有しており、引出し（１、２）には、第１型式（Ｆ）の前方パネルと第２型式（Ｉ）の前方パネルが提供されており、引出し（１、２）は、前方パネル型式（Ｆ、Ｉ）に対応して第１（Ｅ１）または第２（Ｅ２）の掛留位置に掛留または固定される。【選択図】図６
2013518627.tif 000002
【特許請求の範囲】
【請求項１】
引出しと、前記引出し（１、２）用の延出ガイド（３、４）とを含んだ構造体であって、前記引出し（１、２）は固定装置（５、６）によって前記延出ガイド（３、４）に解放可能に固定でき、前記延出ガイド（３、４）は前記引出し（１、２）を固定するための少なくとも第１および第２の掛留位置（Ｅ１、Ｅ２）を有することを特徴とする構造体。
【請求項２】
前記引出し（１、２）は引出し箱（８）と該引出し箱（８）に接続可能な前方パネル（９）とを有することを特徴とする請求項１記載の構造体。
【請求項３】
前記第１および/または第２の掛留位置（Ｅ１、Ｅ２）は、取り外しまたは移動可能で、前記引出し（１、２）に配置できるアバットメント（２５）に対応して自動的に設定され、前記アバットメント（２５）の位置は、前記引出し箱（８）に接続される前記引出し（１、２）の前方パネル（９）の型式（Ｆ、Ｉ）に対応して設定されることを特徴とする請求項２記載の構造体。
【請求項４】
前記アバットメントは前記前方パネル（９）に配置されており、前記引出し（１、２）を前記延出ガイド（３、４）に固定すると、前記アバットメントが前記延出ガイド（３、４）の制限延出部（１２）に直接当接し、前記引出し（１、２）を前記延出ガイド（３、４）の第１の掛留位置（Ｅ１）で掛留することを特徴とする請求項３記載の構造体。
【請求項５】
好適には、引出し箱（８）の底部（１３）の箱レール（１８）に配置された伝達装置（１１）は、前記前方パネル（９）の接触によって、第１の位置（Ｓ１）から第２の位置（Ｓ２）へと可動な制限延出部（１２）に対して間接的に作動および可動なアバットメント（２５）として移動部材（１４）を有していることを特徴とする請求項３記載の構造体。
【請求項６】
前記移動部材（１４）は、前記引出し（１、２）を固定すると、第１の位置Ｓ１でのみ前記延出ガイド（３、４）の前記制限延出部（１２）に接触することを特徴とする請求項５記載の構造体。
【請求項７】
前記前方パネル（９）は予め取り付けられた接続部材（１０）を有しており、それによって前記前方パネル（９）は前記引出し箱（８）に接続可能であり、前記前方パネル（９）または前記接続部材（１０）には、直接的アバットメントまたはその接触によって前記移動部材（１４）が作動するアバットメント（７）が配置されていることを特徴とする請求項３から６のいずれかに記載の構造体。
【請求項８】
前記延出ガイド（３、４）は、前記引出し（１、２）に接続可能な引出しレール（１５）と、前記延出ガイド（３、４）を家具枠体（１７）に取り付けるための枠体レール（１６）とを有しており、前記延出ガイド（３、４）の前記制限延出部（１２）は前記引出しレール（１５）上に配置されていることを特徴とする請求項４から７のいずれかに記載の構造体。
【請求項９】
前記引出し（１、２）は箱レール（１８）を有しており、前記固定装置（５、６）は、前記箱レール（１８）を前記延出ガイド（３、４）の前記引出しレール（１５）に解放可能に保持することを特徴とする請求項８記載の構造体。
【請求項１０】
引出し（１、２）と、該引出し（１、２）用の延出レール（３、４）とを含んだ構造体であって、前記引出し（１、２）は、引出し箱（８）と該箱（８）に接続可能な前方パネル（９）とを有しており、前記引出し（１、２）は固定装置（５、６）によって前記延出ガイド（３、４）に解放可能に固定でき、前記延出ガイド（３、４）は前記引出し（１、２）を固定するために少なくとも第１および第２の掛留位置（Ｅ１、Ｅ２）を有しており、前記引出し（１、２）には前方パネル（９）の第１の型式（Ｆ）、または前方パネル（９）の第２の型式（Ｉ）を提供でき、それぞれの引出し（１、２）は、第１の掛留位置（Ｅ１）または第２の掛留位置（Ｅ２）で前記前方パネル型式（Ｆ、Ｉ）に対応して掛留または固定されることを特徴とする構造体。
【請求項１１】
掛留位置（Ｅ１、Ｅ２）は、前記前方パネル（９）に提供されたアバットメントによって、好適には前記前方パネル（９）の接続部材（１０）にて設定され、および/または前記前方パネル（９）の型式（Ｆ、Ｉ）に対応してその場で制御されることを特徴とする請求項１０記載の構造体。
【請求項１２】
第１の前方パネル型式（Ｆ）を有する引出し（１、２）は第１の掛留位置（Ｅ１）で掛留可能であり、第２の前方パネル型式（Ｉ）を有する引出し（１、２）は第２の掛留位置（Ｅ２）で掛留可能であることを特徴とする請求項１０または１１記載の構造体。
【請求項１３】
２つの前記前方パネル（Ｆ、Ｉ）型式の一方のみが直接的または間接的アバットメント（７）を有することを特徴とする請求項１０から１２のいずれかに記載の構造体。
【請求項１４】
家具（１９）であって、
家具枠体（１７）と、
互いに重ねられた関係で前記家具枠体（１７）に固定された少なくとも２つの延出ガイド（３、４）と、
それぞれの延出ガイド（３、４）に、固定装置（５、６）によって掛留可能な、少なくとも第１の引出し（１）および第２の引出し（２）とを含んでおり、前記少なくとも２つの引出し（１、２）は、それぞれ引出し箱（８）と、該箱（８）に接続可能な前方パネル（９）とを有しており、
前記延出ガイド（３、４）は、前記引出し（１、２）を固定するための少なくとも第１の掛留位置（Ｅ１）および第２の掛留位置（Ｅ２）とを有しており、それぞれの前記引出し（１、２）はそれぞれの延出ガイド（３、４）の第１の掛留位置（Ｅ１）または第２の掛留位置（Ｅ２）に対応して掛留可能または固定可能であることを特徴とする家具。
【請求項１５】
前記第１の引出しは、内部引出し構造体（Ｉ）のための前方パネル型式が提供された第２の引出し（２）を覆う、高さが増加した前方パネル（９）の形態で前方引出し構造体のための前方パネル型式（Ｆ）を有しており、前記第２の引出し（２）の前記引出し箱（８）は、前記一方の延出ガイド（３）のさらに内側の第１の掛留位置（Ｅ１）に掛留され、第１引出し（１）の前記引出し箱（８）は他方の延出ガイド（４）のさらに前方の第２の掛留位置（Ｅ２）に掛留されることを特徴とする請求項１４記載の家具。
【請求項１６】
家具枠体（１７）に対して互いに重ねられた関係で固定された前記延出ガイド（３、４）は、同じ垂直位置（Ｖ）で前記家具枠体（１７）に固定されることを特徴とする請求項１４または１５記載の家具。
【発明の詳細な説明】
【技術分野】
【０００１】
本発明は、引出しと引出し用の延出ガイドとを含んだ構造体に関する。引出しは、固定装置によって延出ガイドに解放可能に取り付けられる。本発明は、さらに、家具枠体と、家具枠体に相互に重ねられた関係で固定された少なくとも二つの延出ガイドと、固定装置によってそれぞれの延出ガイドに掛留可能な少なくとも第１および第２の引出しとを含んだ家具にも関する。これら少なくとも二つの引出しは、それぞれ引出し箱と、引出し箱に接続できる前方パネルとを有している。
【背景技術】
【０００２】
家具を組み立てるため、家具または装着具の製造者は、現場で比較的に迅速および簡単に組み立てられる標準的な部品を供給する。このため、ほとんどの場合において、家具枠体に取り付けられる引出し用の均一な延出ガイドが利用できる。一般的に予め穴が開けられたドリルパターンが、後に取り付けられる引出しに対応する延出ガイドの位置決めのために、既に家具枠体に提供されている。この点で、従来技術では、延出ガイドに後に取り付けられる引出しの種類を常に考慮することが必要である。言い換えれば、前方パネルが閉位置で家具枠体に接している前方引出し構造体が使用されるとき、延出ガイドは、さらに前方の位置で家具枠体に取り付けられなければならない。そうでなければ、予め取り付けられた延出ガイドに引出しを取り付けるとき、延出ガイド上で引出しの固定位置に到達する前に、前方パネルが既に家具枠体に接しているため、完全に閉位置に存在する延出ガイドに前方パネルを備えた引出しが到達できないという問題が発生する。延出ガイドの装着者が、どの種類の引出しが取り付けられるかを前もって正確に知っている場合のみ、延出ガイドをさらに前方または後方に適切に配置することができる。
【発明の概要】
【発明が解決しようとする課題】
【０００３】
よって、本発明の目的は、後に取り付けられる引出しの知識とは無関係に、延出ガイドを家具枠体に均一な状態で配置させることである。
【０００４】
引出し構造体が後に変更される場合にはさらに問題が生じる。特に、その場合は、個々の引出しは、もはや延出ガイドの位置に合わず、延出ガイドを取り外して適切な位置に付け直さなければならないであろう。
【０００５】
本発明の別な目的は、延出ガイドに引出しを簡単に適切に取り付けさせることである。特に本発明は、個々の引出しを延出ガイドに、ガイドの取り付け位置とは無関係に取り付けさせることを目的とする。本発明は、延出ガイドの複雑な付け直しの必要性を排除することを目的とする。
【課題を解決するための手段】
【０００６】
本発明によれば、この目的は、独立請求項１、１０および１４の特徴によって達成される。
【０００７】
このように、延出ガイドの少なくとも二つの掛留位置は、家具枠体の延出ガイドの固定位置とは無関係に、延出ガイドに個々の引出しを固定するための異なる取り付け位置を提供することが可能である。特に、前方パネル型式に掛留位置を合致させることで、前方パネルが家具枠体に接することはなく、家具内にさらに延伸するように、内部引出し構造体のために、前方引出し構造体を備えた引出しに後で交換することも可能である。
【０００８】
好適には、請求項１に記載の構造体では、引出しは、好適には引出しに配置された取り外し可能なアバットメント（受け台）に依存する延出ガイド上の少なくとも二つの掛留位置の第１または第２の位置に固定できる。一般的に、このようなアバットメントが延出ガイド自体の停止部材の形態で提供されることは除外されない。取り付けられる引出しが第２の掛留位置に直ちに到達できるよう、停止部材は、操作によってロック解除される。好適には、引出しは、引出し箱と、箱に接続できる前方パネルとを有しており、取り外し可能なアバットメントは前方パネルに配置されている。このようにアバットメントは、前方パネルの型式によって前方パネル自体に配置されているので、掛留位置は、前方パネルによって制御される。
【０００９】
特に好適には、前方パネルは、予め取り付けられた接続部材を有しており、これによって前方パネルを引出し箱に接続することができ、取り外し可能なアバットメントは接続部材に配置される。よって、前方パネルがない引出しを第１の掛留め位置で延出ガイドに簡単に固定することができる。前方パネルが取り付けられると、内部引出し構造体の形態である前方パネル型の場合、掛留位置で解放され、引出しは、第２の掛留位置にまでさらに後方に押し込まれる。
【００１０】
従って、特に好適には、引出しを延出ガイドに取り付けると、取り外し可能なアバットメントが延出ガイドの制限延伸部当接し、延出ガイドの第１の掛留位置に引出しを掛留する。言い換えれば、引出しを取り付けるとき、引出しが第１の掛留位置で掛留されるよう、アバットメントが延出ガイドに接する。
【００１１】
あるいは、伝達装置を引出し箱の底面、好適には引出し箱のレールに配置することもでき、伝達装置は、前方パネルのアバットメントとの接触によって第１の位置から第２の位置へと可動な制限延伸部を備えた間接的に作用するアバットメントとしての移動部材を有している。引出しを取り付けると、移動部材は、第１の位置でのみ延出ガイドの制限延伸部と接する。前方パネルを引出し箱に取り付けると、移動部材が第２の位置へ移動し、移動部材は、もはや制限延伸部に当接せず、引出し全体が家具内へさらに移動する。移動部材は、引出しの側壁に可動式に取り付けられており、側壁に挿入された前方パネルに対応して第１の位置または第２の位置に移動する。例えば、引出しの側壁に挿入された前方パネルに対応して、アバットメントが、好適には下方に移動し、よって、引出しの位置をさらに前方に移動させる。
【００１２】
前方パネルが取り除かれるか、または交換されるとすぐに、アバットメントが側壁の内部に再び戻り、引出しは、延出ガイド上で再び全体的に後方に位置され、そこで固定される。
【００１３】
言い換えれば、基本的には、アバットメントを形成するための二つの変形例が存在する。第１の変形例は、前方パネルに対応して、２つの異なる位置間を移動部材によって往復運動する間接的に可動なアバットメントを備えた形態である。
【００１４】
第２の変形例は、掛留位置を直接的に設定する、前方パネルに配置されたアバットメントである。したがって、第１および/または第２の掛留位置は、引出しに配置された可動または取り外し可能なアバットメントに対応して自動的に設定される。第１の変形例の場合には、アバットメントは、二つの位置間で移動可能である。第２の変形例の場合には、直接的アバットメントが存在することがあり、存在しないこともある（すなわち取り外されている）。
【００１５】
アバットメントの位置は、引出し箱に接続された引出し前方パネルの型式に対応して設定されるという事実によって、両方の変形例は、延出ガイド上で引出しの位置の奥行きが前方パネルに適応、すなわち対応しているという利点を有する。この点で、第１および第２の掛留位置は、家具の奥行きに対して相対移動関係で配置されている。言い換えれば、掛留位置は、延出ガイドに押し込まれる引出しに関して、互いに異なる奥行きを提供している。
【００１６】
さらに好適には、延出ガイドは、引出しに接続可能な引出しレールと、延出ガイドを家具枠体に取り付ける枠体レールとを有しており、延出ガイドの制限延伸部は、引出しレールに配置されている。さらに好適な変形例では、引出しは、引出し箱レールを有しており、固定装置が引出し箱レールを延出ガイドの引出しレールに解放可能に保持する。引出し箱レールは、好適には引出しの底面に配置されている。
【００１７】
発明の保護は、さらに請求項１０記載の構造体にも適用される。この点で、本発明によれば、引出しには、第１型式の前方パネルまたは第２型式の前方パネルが提供され、それぞれの引出しは、前方パネルの型式に対応して第１または第２の掛留位置に固定される。このように、掛留の奥行きは、例えば手動によって設定される必要はなく、あるいは延出ガイドの引出しのための掛留位置の手動解除の必要はなく、単に前方パネルを引出し箱の残り部分に取り付けるだけで引出しの掛留位置が直接的に決定される。
【００１８】
好適には、第１前方パネル型式を有する引出しは、第１の掛留位置で掛留可能であり、第２前方パネル型式を有する引出しは、第２の掛留位置で掛留可能とすることができる。２つの前方パネル型式のうちの一つだけに直接的または間接的アバットメントを提供することもできる。原則的に、前方パネルは、掛留位置を変更するための機械的アバットメントを有する必要がない。むしろ、引出し、または延出ガイドに、例えば特殊な電子センサを配置し、引出し箱に取り付けられた前方パネルの種類を認識または検知させることができる。掛留位置は、その後、前方パネルの検知された型式に応じて機械的に設定、または変更可能である。
【００１９】
本発明の保護は、請求項１４に記載の延出ガイドにも適用される。
【００２０】
請求項１４に記載の家具のため、特に好適には、第１の引出しが、内部引出し構造体のための前方パネルを備えた第２の引出しを覆う、高さが増加している前方パネルの形態で前方引出し構造体用の前方パネルを有することが望ましく、第２の引出しの引出し箱は、先ず、一つの延出ガイドのさらに内側に配置された第１の掛留位置で掛留され、第１の引出しの引出し箱は、次に、延出ガイドのさらに前方に配置された第２の掛留位置にて掛留される。この点で、前方から見ると、前方引出し構造体の前方パネルだけを見ることができ、内部引出し構造体の前方パネルは、その後方、すなわち内部に隠されている。
【００２１】
特に、この点で家具枠体に互いに重ねられた関係で固定された延出ガイドは、家具枠体に同じ垂直位置で固定されることが好適である。この点で、同じ垂直位置とは、延出ガイド（特にその枠体レール）が家具枠体に非移動関係で上下に配置されていることを意味する。言い換えれば、これは、個々の延出ガイドまたはそれらの枠体レールが家具の後壁から、または家具の家具枠体の前側から同じ水平空間に配置されていることを意味し、この場合、それらは家具枠体に、後に取り付け可能な引出しによって、ずれた位置関係で取り付けられる必要がない。
【００２２】
本発明の詳細および利点を、図面に図示した実施例に付して説明する。
【図面の簡単な説明】
【００２３】
【図１】図１は、延出ガイドと固定領域を示す概略図である。
【図２】図２は、取り付けられた引出し箱を有する延出ガイドと、固定領域の詳細な部分を示す概略図である。
【図３】図３は、前方パネルを有する引出し箱を備えた延出ガイドと、固定領域の詳細な部分を示す概略図である。
【図４】図４は、内部引出し構造体の形態である前方パネルを備えた引出し箱を有する延出ガイドと、固定領域の詳細な部分を示す概略図である。
【図５】図５は、完全に閉位置にある内部引出し構造体を備えた引出しを示している。
【図６】図６は、引出しの異なる変形例を備えた家具の概略図である。
【図７】図７は、伝達装置と延出ガイドとを備えた引出し箱の分解図である。
【図８】図８は、引出しの底部に取り付けられた伝達構造体を下方から見た図である。
【図９】図９は、非作動閉位置にある伝達装置を示している。
【図１０】図１０は、作動閉位置にある伝達装置を下から見た図である。
【図１１】図１１は、延出ガイドを備えた図９の伝達装置を下から見た図である。
【図１２】図１２は、図１１の断面図である。
【図１３】図１３は、前方引出し構造体を備えた引出しの側面図である。
【図１４】図１４は、延出ガイドを備えた図１０の伝達装置を下から見た図である。
【図１５】図１５は、図１４の断面図である。
【図１６】図１６は、内部引出し構造体を備えた引出しの側面図である。
【発明を実施するための形態】
【００２４】
図１は、延出ガイド３または４がどのように家具枠体１７に固定されているかを概略的に示している。枠体レール１６は、家具枠体１７に取り付けられており、引出しレール１５は、枠体レール１６に移動可能に取り付けられている。引出しレール１５は、固定装置５と６の少なくとも一部を有する。固定装置１６は、引出しレール１５に固定された保持ノーズ２０と、引出し１と２にそれぞれ配置されたガイド部材２３（図２）とを含んでいる。引出し１と２がそれぞれ延出ガイド３と４に固定されると、垂直移動が部材１５、２３および２０の間のロック接続によって提供されるよう、ガイド部材２３が保持ノーズ２０と引出しレール１５との間で移動する。固定装置５は、引出しレール１５の前方領域に提供されている。固定位置は、２つの掛留凹部２１と２２の形態であり、そこに引出し１または２の掛留ノーズ２４が掛留される。掛留ノーズ２４の掛留係止後、ロック接続が、引出しの開方向で掛留凹部２１と２２、および掛留ノーズ２４との間に提供され、引出しを持上げることでロック接続が解除される。このように、固定装置５と６によって引出しレール１５上に取り付けるよう、引出し１と２を押すだけで、引出し１または２が延出ガイド３または４にそれぞれロック関係で固定され、その係止状態は、引出し１または２を持上げ、それを引出すことで再び解除される。
【００２５】
図２の右下に示すように、伝達装置１１が引出し箱８の底部１３に配置されている。第１位置Ｓ１では、伝達装置１１は、制限延出部に当接することで、伝達装置アバットメント２５によって引出しレール１５に対して引出し箱８の移動を制限するように作用する。作動部材２７は、位置Ｓ１で作動しないため、移動部材１４（作動部材２７、バネ２８、接続部２６および伝達装置アバットメント２５で構成されている）の全体的な移動は、伝達装置１１のベース部２９に対して位置Ｓ１に残る。この図から理解できるように、掛留ノーズ２４は、好適には伝達装置１１のベース部２９に、好適には僅かに弾性を有する接続部３０によって一体的に接続される。
【００２６】
引出し箱８は、閉方向ＳＲの引出し箱８の移動によって図２に示す位置に移動する。この場合、掛留ノーズ２４の傾斜領域３６は、制限延出部１２の領域で接続部３０を曲げながら引出しレール１５に沿ってスライドする。この場合、掛留ノーズ２４は、掛留凹部２２に到達すると掛留位置Ｅ２に掛留される。
【００２７】
図３に示すように、これで延出ガイド３または４上の引出し箱８の僅かに開いた奥行き位置Ｔが提供され、前方引出し構造体Ｆの前方パネル９は、問題なく十分に開いた状態の引出し箱８に取り付けられる。このように、伝達装置１１の閉位置Ｓ１または掛留ノーズ２４の掛留位置Ｅ２で、所望の前方パネルを取り付けることが可能である。
【００２８】
内部引出し構造体Ｉのための前方パネル９（図４に示す）が図２に示すように引出し箱８に取り付けられると、引出し１または２全体の閉方向ＳＲへのさらなる内側への移動が求められる。伝達装置アバットメント２５を解除するため、アバットメント７がこの目的で内部引出し構造体Ｉの前方パネル９に配置される。対応する傾斜面に沿ったスライド移動の後、アバットメント７が作動部材２７をバネ２８のバネ力に逆らって位置Ｓから位置Ｓ２へと動かすことで、接続部２６と、移動部材１４の伝達装置アバットメント２５が引出しレール１５の制限延出部１２から離れるように移動し、引出しレール１５に対する閉方向ＳＲでの引出し箱８の移動が可能になる。
【００２９】
そのように閉方向ＳＲ（前方パネル９に取り付ける方向）で移動すると、掛留ノーズ２４の傾斜面３６が、掛留凹部２１と２２との間の傾斜面に沿って、掛留位置Ｅ２から掛留位置Ｅ１へとスライドする。この位置で（図５）、引出し箱８は、引出しレール１５に対して、ガイド部材２３が保持ノーズ２０に対して移動できないか、またはそれに対してほとんど移動できない完全な閉位置にある。
【００３０】
図６から理解できるように、延出ガイド３と延出ガイド４の枠体レール１６は、家具１９の家具枠体１７上の同じ垂直位置Ｖで取り付けられる。延出ガイド３と４の非移動性の構造体にかかわらず、異なる延出構造体型式（内部引出し構造体Ｉ，前方引出し構造体Ｆ）を備えた引出し１と２は、完全な開位置または完全な閉位置での個々の引出し１と２のそれぞれの前方パネル９同士の衝突のおそれなく本来位置に適切に取り付けられる。異なる掛留位置Ｅ１とＥ２のため、完全に延伸した状態の内部引出し構造体Ｉの前方パネル９を備えた引出し２は、引出し１の前方パネルＦに突き当たることができない。個々の引出し１と２の本発明に従った固定によって、個々の引出し１と２の交換が問題なくできる。個々の前方パネル９の交換によって、標準的な引出し箱８は、それらの以前のそれぞれの掛留位置Ｅ１とＥ２を変えることができる。
【００３１】
図７は、引出しレール１５、枠体レール１８、およびこれらの間の中央レール３１を実質的に含んだ延出ガイド３または４をそれぞれ示している。ここでは、部分的に示されているだけの引出し１または２は、引出しフレーム構造体３３と引出し底部３２を実質的に含んでいる。側壁または引出しフレーム構造体３３には、部材１０を接続するための受領手段３５が提供されている。伝達装置１１のベース部２９は、箱レール１８の領域の引出し箱８の底部３に固定できる。接続部材１０は、固定延伸部３４（例えばくぎ）によって前方パネル１９（ここでは図示せず）に接続できる。
【００３２】
図８は、箱レール１８に配置された伝達部材１１を下方から見た図である。この場合、移動部材１４は、伝達部材１１のベース部２９で閉位置Ｓ１から閉位置Ｓ２へ可動に配置されている。
【００３３】
図９では、前方引出し構造体Ｆの接続部材１０が引出し箱８の受領手段に導入されており、この場合、作動部材２７は、作動されず、伝達装置アバットメント２５は、位置Ｓ１にとどまる。
【００３４】
一方、図１０では、アバットメント７を備えた内部引出し構造体Ｉの前方パネル１０が導入されていることで、移動部材１４は、位置Ｓ２へと移動する。これに対応して、図１４では、位置Ｓ２で、伝達装置アバットメント２５は、もはや引出しレール１５の制限延伸部１２に当接せず、引出しレール１５に対する引出し箱８の閉方向ＳＲでの移動が可能となる。移動は、好適には接続部材１０と一体的なアバットメント７によって実行される。
【００３５】
一方、図１１では、移動部材１４は、伝達装置アバットメント２５が引出しレール１５の制限延伸部１２に当接する位置Ｓ１に示されている。
【００３６】
このように本発明は、ロック部材２５が引出し１と２が“完全に後方で”引出しレール１５に取り付けられるのを防ぎ、引出し１と２が、初めて（前方パネル１０なしで）取り付けられると、前端位置Ｅ２のみで、延出ガイド３または４の引出しレール１５に取り付けられるため、延出ガイド３と４が完全に閉じた中間位置で取り付けられる構造体または家具１９を示している。ロック部材２５が解除され、引出し１または２が引出しレール１５に対して完全な閉位置（終端位置Ｅ１）へ移動できるかどうかについての決定は、前方パネル１０の取り付けでのみなされる。このように、前方パネルＦまたはＩの型式は、延出ガイド３または４上の引出し１または２の掛留位置Ｅ１またはＥ２を決定する。
【００３７】
要約すれば、本発明は、内部引出し構造体または前方引出し構造体の形態の引出しを、延出ガイド上で、特にその引出しレール上で異なる奥行きで掛留させることができる。この目的のため、引出しには、前方パネルに直接的に提供されるか、または前方パネルによって作動されるアバットメントの形態であるいわゆるタブ止めが提供されている。このアバットメントは、延出ガイド上の異なる奥行きの掛留位置にある引出しのための位置決め補助として作用する。この点で、その掛留位置は、引出しの位置決めアバットメントに対応し、よって前方パネルの特質に対応する。さらに、位置決めアバットメントを前方パネルに直接提供してもよく、または前方パネルによって間接的に移動可能にすることもできる。
【図１】
2013518627.tif 000003
【図２】
2013518627.tif 000004
【図３】
2013518627.tif 000005
【図４】
2013518627.tif 000006
【図５】
2013518627.tif 000007
【図６】
2013518627.tif 000008
【図７】
2013518627.tif 000009
【図８】
2013518627.tif 000010
【図９】
2013518627.tif 000011
【図１０】
2013518627.tif 000012
【図１１】
2013518627.tif 000013
【図１２】
2013518627.tif 000014
【図１３】
2013518627.tif 000015
【図１４】
2013518627.tif 000016
【図１５】
2013518627.tif 000017
【図１６】
2013518627.tif 000018
【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
引出しと、前記引出し（１、２）用の延出ガイド（３、４）とを含んだ構造体であって、
前記引出し（１、２）は、引出し箱（８）と、該引出し箱（８）に接続可能な前方パネル（９）とを有しており、
前記引出し（１、２）は、固定装置（５、６）によって前記延出ガイド（３、４）に解放可能に固定でき、
前記延出ガイド（３、４）は、前記引出し（１、２）を固定するための少なくとも第１および第２の掛留位置（Ｅ１、Ｅ２）を有しており、
前記第１および/または第２の掛留位置（Ｅ１、Ｅ２）は、取り外し可能または移動可能で、前記引出し（１、２）に配置されるアバットメント（２５）に対応して自動的に設定され、
前記アバットメント（２５）の位置は、前記引出し箱（８）に接続された前記引出し（１、２）の前記前方パネル（９）の型式（Ｆ、Ｉ）に対応して設定されることを特徴とする構造体。
【請求項２】
前記アバットメントは、前記前方パネル（９）に配置されており、前記引出し（１、２）を前記延出ガイド（３、４）に固定すると、前記アバットメントが前記延出ガイド（３、４）の制限延出部（１２）に直接当接し、前記引出し（１、２）を前記延出ガイド（３、４）の第１の掛留位置（Ｅ１）で掛留することを特徴とする請求項１記載の構造体。
【請求項３】
引出し箱（８）の底部（１３）の箱レール（１８）に配置された伝達装置（１１）は、前記前方パネル（９）の接触によって、第１の位置（Ｓ１）から第２の位置（Ｓ２）へと可動な制限延出部（１２）に対して間接的に作動および可動なアバットメント（２５）として移動部材（１４）を有していることを特徴とする請求項１記載の構造体。
【請求項４】
前記移動部材（１４）は、前記引出し（１、２）を固定すると、第１の位置Ｓ１でのみ前記延出ガイド（３、４）の前記制限延出部（１２）に接触することを特徴とする請求項３記載の構造体。
【請求項５】
前記前方パネル（９）は、予め取り付けられた接続部材（１０）を有しており、それによって前記前方パネル（９）は前記引出し箱（８）に接続可能であり、
前記前方パネル（９）または前記接続部材（１０）には、直接的アバットメントまたはその接触によって前記移動部材（１４）が作動するアバットメント（７）が配置されていることを特徴とする請求項１から４のいずれかに記載の構造体。
【請求項６】
前記延出ガイド（３、４）は、前記引出し（１、２）に接続可能な引出しレール（１５）と、前記延出ガイド（３、４）を家具枠体（１７）に取り付けるための枠体レール（１６）とを有しており、
前記延出ガイド（３、４）の前記制限延出部（１２）は、前記引出しレール（１５）上に配置されていることを特徴とする請求項２から５のいずれかに記載の構造体。
【請求項７】
前記引出し（１、２）は、箱レール（１８）を有しており、
前記固定装置（５、６）は、前記箱レール（１８）を前記延出ガイド（３、４）の前記引出しレール（１５）に解放可能に保持することを特徴とする請求項６記載の構造体。
【請求項８】
引出し（１、２）と、該引出し（１、２）用の延出レール（３、４）とを含んだ構造体であって、
前記引出し（１、２）は、引出し箱（８）と該箱（８）に接続可能な前方パネル（９）とを有しており、
前記引出し（１、２）は、固定装置（５、６）によって前記延出ガイド（３、４）に解放可能に固定でき、
前記延出ガイド（３、４）は、前記引出し（１、２）を固定するために少なくとも第１および第２の掛留位置（Ｅ１、Ｅ２）を有しており、
前記引出し（１、２）には、前方パネル（９）の第１の型式（Ｆ）、または前方パネル（９）の第２の型式（Ｉ）を提供でき、
それぞれの引出し（１、２）は、第１の掛留位置（Ｅ１）または第２の掛留位置（Ｅ２）で前記前方パネル型式（Ｆ、Ｉ）に対応して掛留または固定されることを特徴とする構造体。
【請求項９】
掛留位置（Ｅ１、Ｅ２）は、前記前方パネル（９）に提供されたアバットメントによって、前記前方パネル（９）の接続部材（１０）にて設定され、および/または前記前方パネル（９）の型式（Ｆ、Ｉ）に対応してその場で制御されることを特徴とする請求項８記載の構造体。
【請求項１０】
第１の前方パネル型式（Ｆ）を有する引出し（１、２）は、第１の掛留位置（Ｅ１）で掛留可能であり、
第２の前方パネル型式（Ｉ）を有する引出し（１、２）は、第２の掛留位置（Ｅ２）で掛留可能であることを特徴とする請求項８または９記載の構造体。
【請求項１１】
２つの前記前方パネル（Ｆ、Ｉ）型式の一方のみが、直接的または間接的アバットメント（７）を有することを特徴とする請求項８から１０のいずれかに記載の構造体。
【請求項１２】
家具（１９）であって、
家具枠体（１７）と、
互いに重ねられた関係で前記家具枠体（１７）に固定された少なくとも２つの延出ガイド（３、４）と、
それぞれの延出ガイド（３、４）に、固定装置（５、６）によって掛留可能な、少なくとも第１の引出し（１）および第２の引出し（２）とを含んでおり、
前記少なくとも２つの引出し（１、２）は、それぞれ引出し箱（８）と、該箱（８）に接続可能な前方パネル（９）とを有しており、
前記延出ガイド（３、４）は、前記引出し（１、２）を固定するための少なくとも第１の掛留位置（Ｅ１）および第２の掛留位置（Ｅ２）とを有しており、
それぞれの前記引出し（１、２）は、それぞれの延出ガイド（３、４）の第１の掛留位置（Ｅ１）または第２の掛留位置（Ｅ２）に対応して掛留可能または固定可能であることを特徴とする家具。
【請求項１３】
前記第１の引出しは、内部引出し構造体（Ｉ）のための前方パネル型式が提供された第２の引出し（２）を覆う、高さが増加した前方パネル（９）の形態で前方引出し構造体のための前方パネル型式（Ｆ）を有しており、
前記第２の引出し（２）の前記引出し箱（８）は、前記一方の延出ガイド（３）のさらに内側の第１の掛留位置（Ｅ１）に掛留され、
第１引出し（１）の前記引出し箱（８）は、他方の延出ガイド（４）のさらに前方の第２の掛留位置（Ｅ２）に掛留されることを特徴とする請求項１２記載の家具。
【請求項１４】
家具枠体（１７）に対して互いに重ねられた関係で固定された前記延出ガイド（３、４）は、同じ垂直位置（Ｖ）で前記家具枠体（１７）に固定されることを特徴とする請求項１２または１３記載の家具。
【手続補正２】
【補正対象書類名】明細書
【補正対象項目名】０００１
【補正方法】変更
【補正の内容】
【０００１】
本発明は、引出しと引出し用の延出ガイドとを含んだ構造体に関する。引出しは、引出し箱と、引出し箱と引出しに接続可能な前方パネルとを有しており、引出しは、固定装置と延出ガイドによって延出ガイドに解放可能に取り付けられ、延出ガイドは、引出しを固定するために、少なくとも第１の掛留位置と第２の掛留位置とを有する。本発明は、さらに、家具枠体と、家具枠体に相互に重ねられた関係で固定された少なくとも二つの延出ガイドと、固定装置によってそれぞれの延出ガイドに掛留可能な少なくとも第１および第２の引出しとを含んだ家具にも関する。これら少なくとも二つの引出しは、それぞれ引出し箱と、引出し箱に接続できる前方パネルとを有している。
【手続補正３】
【補正対象書類名】明細書
【補正対象項目名】０００２
【補正方法】変更
【補正の内容】
【０００２】
この種の構造体は、例えばＤＥ２０２００５０１８７８８Ｕ１号公報、またはＤＥ２０２００５００５４８９Ｕ１号公報にて開示されている。
家具を組み立てるため、家具または装着具の製造者は、現場で比較的に迅速および簡単に組み立てられる標準的な部品を供給する。このため、ほとんどの場合において、家具枠体に取り付けられる引出し用の均一な延出ガイドが利用できる。一般的に予め穴が開けられたドリルパターンが、後に取り付けられる引出しに対応する延出ガイドの位置決めのために、既に家具枠体に提供されている。この点で、従来技術では、延出ガイドに後に取り付けられる引出しの種類を常に考慮することが必要である。言い換えれば、前方パネルが閉位置で家具枠体に接している前方引出し構造体が使用されるとき、延出ガイドは、さらに前方の位置で家具枠体に取り付けられなければならない。そうでなければ、予め取り付けられた延出ガイドに引出しを取り付けるとき、延出ガイド上で引出しの固定位置に到達する前に、前方パネルが既に家具枠体に接しているため、完全に閉位置に存在する延出ガイドに前方パネルを備えた引出しが到達できないという問題が発生する。延出ガイドの装着者が、どの種類の引出しが取り付けられるかを前もって正確に知っている場合のみ、延出ガイドをさらに前方または後方に適切に配置することができる。
【手続補正４】
【補正対象書類名】明細書
【補正対象項目名】０００６
【補正方法】変更
【補正の内容】
【０００６】
本発明によれば、この目的は、独立請求項１、８および１２の特徴によって達成される。
【手続補正５】
【補正対象書類名】明細書
【補正対象項目名】０００７
【補正方法】変更
【補正の内容】
【０００７】
したがって、第１および/または第２の掛留位置は、取り外しまたは移動可能で、引出しに配置できるアバットメントに対応して自動的に設定され、アバットメントの位置は、引出し箱に接続される、引出しの前方パネルの型式に対応して設定される。
特に、前方パネル型式に掛留位置を合致させることで、前方パネルが家具枠体に接することはなく、家具内にさらに延伸するように、内部引出し構造体のために、前方引出し構造体を備えた引出しに後で交換することも可能である。
【手続補正６】
【補正対象書類名】明細書
【補正対象項目名】０００８
【補正方法】変更
【補正の内容】
【０００８】
好適には、取り外し可能なアバットメントは前方パネルに配置されている。このようにアバットメントは、前方パネルの型式によって前方パネル自体に配置されているので、掛留位置は、前方パネルによって制御される。
【手続補正７】
【補正対象書類名】明細書
【補正対象項目名】００１７
【補正方法】変更
【補正の内容】
【００１７】
発明の保護は、さらに請求項８記載の構造体にも適用される。この点で、本発明によれば、引出しには、第１型式の前方パネルまたは第２型式の前方パネルが提供され、それぞれの引出しは、前方パネルの型式に対応して第１または第２の掛留位置に固定される。このように、掛留の奥行きは、例えば手動によって設定される必要はなく、あるいは延出ガイドの引出しのための掛留位置の手動解除の必要はなく、単に前方パネルを引出し箱の残り部分に取り付けるだけで引出しの掛留位置が直接的に決定される。
【手続補正８】
【補正対象書類名】明細書
【補正対象項目名】００１９
【補正方法】変更
【補正の内容】
【００１９】
本発明の保護は、請求項１２に記載の延出ガイドにも適用される。
【手続補正９】
【補正対象書類名】明細書
【補正対象項目名】００２０
【補正方法】変更
【補正の内容】
【００２０】
請求項１２に記載の家具のため、特に好適には、第１の引出しが、内部引出し構造体のための前方パネルを備えた第２の引出しを覆う、高さが増加している前方パネルの形態で前方引出し構造体用の前方パネルを有することが望ましく、第２の引出しの引出し箱は、先ず、一つの延出ガイドのさらに内側に配置された第１の掛留位置で掛留され、第１の引出しの引出し箱は、次に、延出ガイドのさらに前方に配置された第２の掛留位置にて掛留される。この点で、前方から見ると、前方引出し構造体の前方パネルだけを見ることができ、内部引出し構造体の前方パネルは、その後方、すなわち内部に隠されている。
【国際調査報告】
2013518627.tif 000019
2013518627.tif 000020
2013518627.tif 000021
2013518627.tif 000022